(57)【要約】【課題】コンテンツデータの読み込みを行わない期間はディスクの回転を止めて消費電力の低減を実現し、更にプレイアビリティの改善や外部キー入力などに対する応答性の改善を図った記録媒体再生装置を提供する。【解決手段】システム制御部１０６は、サーボ制御部１０５に指示して、光ピックアップ１０３による再生中のコンテンツデータの読み取りが終了した後、スピンドルモータ１０２の回転を停止し、バッファメモリ１１３に蓄積されたデータの残量が、（ａ）スピンドルモータ１０２の立ち上がり時間、（ｂ）光ピックアップ１０３の移動時間および（ｃ）バッファメモリ１１３からのデータの読み出し速度によって計算されるしきい値ｎ以下になった時、スピンドルモータ１０２を強制回転させ、次に再生するコンテンツデータの読み込みを開始する。【選択図】図１
2006269053.tif 000002
【特許請求の範囲】
【請求項１】
少なくとも１つのコンテンツデータが記録された記録媒体からコンテンツデータを読み取るピックアップと、
前記記録媒体を回転させる第１のモータと、
前記ピックアップを前記記録媒体の径方向に移動させる第２のモータと、
前記ピックアップにより前記記録媒体から読み取られたコンテンツデータを通常再生速度よりも早い速度でバッファメモリに書き込み、また前記バッファメモリから通常再生速度で読み出すメモリ制御部と、
前記ピックアップ、前記第１のモータおよび前記第２のモータの動作を制御するサーボ制御部と、
前記メモリ制御部およびサーボ制御部の動作を制御するシステム制御部とを備え、
前記システム制御部は前記サーボ制御部に指示して、前記ピックアップによる現在再生中のコンテンツデータの読み取りが終了した後前記第１のモータの回転を停止し、前記バッファメモリに蓄積されたデータの残量が、
（ａ）前記第１のモータの回転数を、前記ピックアップが前記記録媒体からデータの読み取りが可能になるまで立ち上げる時間、および
（ｂ）前記ピックアップを、前記記録媒体における現在再生中のコンテンツデータが記録された位置から次に再生するコンテンツデータが記録された位置まで移動させる時間、の少なくとも一方、ならびに、
（ｃ）前記メモリ制御部が前記バッファメモリからデータを読み出す際の速度
の各値によって決定されるしきい値以下になった時、前記第１のモータを起動させ、前記ピックアップにより前記記録媒体から次に再生するコンテンツデータの読み取りを開始する記録媒体再生装置。
【請求項２】
前記しきい値を、前記（ａ）、（ｂ）および（ｃ）の値から計算で求める請求項１に記載の記録媒体再生装置。
【請求項３】
前記しきい値を、前記（ａ）および（ｂ）のいずれか一方の値、ならびに（ｃ）の値から計算で求める請求項１に記載の記録媒体再生装置。
【請求項４】
コンテンツデータが固定ビットレートで符号化されている場合、前記（ｃ）の値は前記固定ビットレートの値に基づいて定める請求項１に記載の記録媒体再生装置。
【請求項５】
コンテンツデータが可変ビットレートで符号化されている場合、前記（ｃ）の値は前記可変ビットレートのうち最大のビットレートか、もしくはそれよりも大きな値に基づいて定める請求項１に記載の記録媒体再生装置。
【発明の詳細な説明】
【技術分野】
【０００１】
本発明は、例えば、光ディスクや光磁気ディスクに記録された音声信号などのコンテンツデー夕を読み出して再生する記録媒体再生装置に関するものである。
【背景技術】
【０００２】
ＣＤ（コンパクトディスク）と呼ばれる光ディスクに記録されている音声信号などのコンテンツデータを再生する再生装置や、ＭＤ（ミニディスク）と呼ばれる光磁気ディスクに記録されている音声信号などのコンテンツデータを再生する再生装置が広く利用されるようになってきている。
【０００３】
このような従来の記録媒体再生装置では、特許文献１に示すようにディスクから高速にデータを読み取ってバッファメモリに一旦蓄積し、その蓄積されたデータを再生することによって再生中に振動が加わっても音切れなどが発生しないような構成が多用されている。更に特許文献２に見られるように、消費電力を抑える観点から、バッファメモリ内のデータ量が一杯になってデータの読み取りを行っていない期間、ディスクの回転を停止させる方法が提案されている。
【特許文献１】特開平５−２１７２９２号公報
【特許文献２】特開平１１−２３８３１４号公報
【発明の開示】
【発明が解決しようとする課題】
【０００４】
近年、圧縮オーディオをはじめ多種多様なソースで構成されたコンテンツを記録したディスクを容易に作成することが可能になってきている。ディスクに圧縮オーディオなどのソースのコンテンツが記録されていると、バッファメモリに１つのコンテンツデータを蓄積し終わっても、その再生が終了するまでは、次に再生するコンテンツデータを読み込まないようにした方が良い場合が多い。その理由は、ディスク上で次に再生するコンテンツデータの記録位置がシーケンシャルに配列されているとは限らないし、コンテンツデータにヘッダーやフッターなどの情報が付加されている場合、コンテンツデータ単位で処理できるため、制御を簡易に行うことができるからである。
【０００５】
しかしながら、現在再生しているコンテンツデータをデータ末尾までバッファメモリに蓄積した後、省電力のためにディスクの回転を停止させた状態において、次に再生するコンテンツデータを読み込むためディスクの回転を開始しても、データ読み込み可能な安定した回転数に到達するまでに時間がかかる。このため、次のコンテンツデータが再生されるまでに遅延が生じたり、ディスクを回転させようとしているときに外部キー入力などにより別のコンテンツデータへの遷移要求があった場合、状態の遷移が遅れてしまうなどの課題があった。
【０００６】
次のコンテンツデータが再生されるまでに遅延が生じるのを避けるため、特許文献２に記載されたように、あらかじめ次に再生するコンテンツデータをバッファメモリに蓄えておく方法も考えられるが、この方法では、省電力化を図るためディスクの回転を停止させることのメリットを十分享受できない。
【０００７】
本発明は、コンテンツデータの読み込みを行わない期間はディスクの回転を止めて消費電力の低減を実現しながら、プレイアビリティの改善や外部キー入力などに対する応答性の改善をも図った記録媒体再生装置を提供するものである。
【課題を解決するための手段】
【０００８】
上記課題を解決するために本発明の記録媒体再生装置は、
少なくとも１つのコンテンツデータが記録された記録媒体からコンテンツデータを読み取るピックアップと、
前記記録媒体を回転させる第１のモータと、
前記ピックアップを前記記録媒体の径方向に移動させる第２のモータと、
前記ピックアップにより前記記録媒体から読み取られたコンテンツデータを通常再生速度よりも早い速度でバッファメモリに書き込み、また前記バッファメモリから通常再生速度で読み出すメモリ制御部と、
前記ピックアップ、前記第１のモータおよび前記第２のモータの動作を制御するサーボ制御部と、
前記メモリ制御部およびサーボ制御部の動作を制御するシステム制御部とを備え、
前記システム制御部は前記サーボ制御部に指示して、前記ピックアップによる現在再生中のコンテンツデータの読み取りが終了した後前記第１のモータの回転を停止し、前記バッファメモリに蓄積されたデータの残量が、
（ａ）前記第１のモータの回転数を、前記ピックアップが前記記録媒体からデータの読み取りが可能になるまで立ち上げる時間、および
（ｂ）前記ピックアップを、前記記録媒体における現在再生中のコンテンツデータが記録された位置から次に再生するコンテンツデータが記録された位置まで移動させる時間、の少なくとも一方、ならびに、
（ｃ）前記メモリ制御部が前記バッファメモリからデータを読み出す際の速度
の各値によって決定されるしきい値以下になった時、前記第１のモータを起動させ、前記ピックアップにより前記記録媒体から次に再生するコンテンツデータの読み取りを開始するものである。
【０００９】
本発明の記録媒体再生装置において、前記しきい値を、前記（ａ）、（ｂ）および（ｃ）の値から計算で求めてもよい。同様に、前記しきい値を、前記（ａ）および（ｂ）のいずれか一方の値、ならびに（ｃ）の値から計算で求めてもよい。
【００１０】
また本発明の記録媒体再生装置において、コンテンツデータが固定ビットレートで符号化されている場合、前記（ｃ）の値は前記固定ビットレートの値に基づいて定めることが好ましい。同様に、コンテンツデータが可変ビットレートで符号化されている場合、前記（ｃ）の値は前記可変ビットレートのうち最大のビットレートか、もしくはそれより大きな値に基づいて定めることが好ましい。
【発明の効果】
【００１１】
本発明の記録媒体再生装置は、バッファメモリの残量が所定のしきい値以下になったときにディスクを強制回転させ、更にピックアップの移動を開始することにより、ディスクをデータ読み取り可能な一定の回転数に到達させると共に、ピックアップを次に再生するコンテンツデータの記録位置に移動させるものである。
【００１２】
本発明によれば、再生中のコンテンツデータの再生が終了した後、次のコンテンツデータの再生を開始する時点で、データの読み取りを直ちに行うことが可能になるため、プレイアビリティの改善や外部キー入力などに対する応答性の改善を実現できる。
【発明を実施するための最良の形態】
【００１３】
以下、本発明の実施の形態における記録媒体再生装置ついて、図面を参照しながら説明する。なお、以下の実施の形態では、本発明を記録媒体再生装置の一種であるＣＤ（コンパクトディスク）再生装置に適用した場合について説明する。
【００１４】
（実施の形態１）
図１は本発明の実施の形態１におけるＣＤ再生装置のブロック図である。以下、まずＣＤ再生装置を構成する各部の機能と動作について説明する。
【００１５】
コンパクトディスク（以下、ディスクと略す）１０１はスピンドルモータ１０２によって回転される。一般に、ＣＤ再生装置では、常に一定のデータ量を読み込む必要があるためＣＬＶ（Constant Linear Velocity）を採用している。このため、スピンドルモータ１０２の回転は、サーボ制御部１０５によってディスク１０１が線速度一定の状態で回転するように制御される。
【００１６】
光ピックアップ１０３は、トラバースモータ１０４により光ディスク１０１の径方向に移動制御される。また、サーボ制御部１０５により、光ピックアップ１０３のフォーカス及びトラッキング制御がなされる。光ピックアップ１０３は、ディスク１０１にレーザ光を照射し、反射光を検出することにより、例えば非点収差法によりフォーカスエラーを検出し、また、例えばプッシュプル法によりトラッキングエラーを検出し、更に目的トラックからの反射光に基づいてＲＦ信号を出力する。
【００１７】
システム制御部１０６は、ＣＰＵ、ＲＯＭおよびＲＡＭを備えたマイクロコンピュータで構成されており、ＣＤ再生装置の全体の動作を管理している。システム制御部１０６には表示部１０７とキー入力部１０８が接続されている。表示部１０７には、再生装置に装填されたディスク１０１の総演奏時間や演奏中の曲のトラックナンバ等が表示される。キー入力部１０８は、電源キー、再生キー、一時停止キー、停止キー、選曲キーなどの再生装置に対する指示を入力するための各種のキーを備えている。
【００１８】
システム制御部１０６から再生処理の開始が指示されると、サーボ制御部１０５から制御信号が出力され、光ピックアップ１０３からレーザ光をディスク１０１に照射するとともに、スピンドルモータ１０２によりディスク１０１を回転する。そして、ディスク１０１からの反射光はＲＦ信号に変換され、ＲＦアンプ１０９で増幅された後、再生信号処理部１１０と制御信号処理部１１１に入力される。制御信号処理部１１１は、光ピックアップ１０３の出力信号からフォーカスエラー信号やトラッキングエラー信号を抽出してサーボ制御部１０５に供給する。
【００１９】
サーボ制御部１０５は、制御信号処理部１１１からのフォーカスエラー信号が０になるように、光ピックアップ１０３の光学系のフォーカス制御を行うと共に、トラッキングエラー信号が０になるように、光ピックアップ１０３の光学系のトラッキング制御を行う。
【００２０】
再生信号処理部１１０は、光ピックアップ１０３からのＲＦ信号から、ディスク１０１に記録されているデジタル音声信号を抽出し、誤り訂正などの必要な処理を行った後、メモリ制御部１１２に転送する。メモリ制御部１１２は、再生信号処理部１１０から転送されたデジタル音声信号を通常再生速度よりも早い速度でバッファメモリ１１３に書き込む。
【００２１】
そして、メモリ制御部１１２は、通常再生速度でバッファメモリ１１３よりデジタル音声信号を順次読み出し、この読み出したデジタル音声信号を出力信号生成部１１４に供給する。この際、メモリ制御部１１２は、バッファメモリ１１３に蓄えられているデータ量が所定の値以下にならないよう、バッファメモリ１１３への書き込みとバッファメモリ１１３からの読み出しを制御する。
【００２２】
メモリ制御部１１２は、再生中にトラックジャンプが生じたことを検出したときは、再生信号処理部１１０からのデータのバッファメモリ１１３への書き込みを停止し、バッファメモリ１１３から出力信号生成部１１４へのデータの転送のみを行う。そして、再生位置が修正されたとき、再生信号処理部１１０からバッファメモリ１１３へのデータ書き込みを再開する。
【００２３】
出力信号生成部１１４は、バッファメモリ１１３から読み出されたデジタル音声信号に対し伸長処理などの所定の処理を行い、アナログの音声信号を生成する。生成されたアナログの音声信号はスピーカやヘッドホンに出力される。
【００２４】
メモリ制御部１１２は、バッファメモリ１１３のデータ残量を常時監視しており、システム制御部１０６は、メモリ制御部１１２を介してバッファメモリ１１３のデータ残量を知ることができる。これにより、バッファメモリ１１３の記憶容量一杯にデータが書き込まれた場合、あるいは、バッファメモリ１１３のデータ残量が予め決められた値よりも少なくなった場合を検知する。
【００２５】
図２は本実施の形態におけるＣＤ再生装置の動作を示すフローチャート、また図３は同再生装置の再生時間の経過に対する、バッファメモリ１１３におけるデータ残量とディスク１０１の回転数の遷移を示した図である。図３（ａ）において縦軸はバッファメモリ１１３のデータ残量を示し、横軸は時間を示す。図３（ｂ）において縦軸はディスク１０１の回転数を示し、横軸は図３（ａ）と同じ時間を示す。
【００２６】
なお、図３において、ディスク回転数は、実際には複雑なカーブを描いて立ち上がり、また立ち下がるが、説明を簡単にするため、直線で表している。同様に図３（ｂ）において、図１の再生装置ではＣＬＶを採用しているため、データ読み込み可能な回転数はピックアップ１０３の位置によって異なるが、説明を分かり易くするため一定としている。
【００２７】
以下、図１〜図３を用いて本実施の形態のＣＤ再生装置の動作を説明する。ディスク１０１が再生装置に装填され、キー入力部１０８の再生キーが押されて再生の実行が指示されると、システム制御部１０６は電力を各部に供給して立ち上げ動作を実行する。すなわち、スピンドルモータ１０２を回転させると共に、光ピックアップ１０３からレーザ光をディスク１０１に照射し、その反射光から得られる情報に基づいて、スピンドルモータ１０２、光ピックアップ１０３のフォーカスコイルおよびトラッキングコイルを制御して、ディスク１０１から適正にデータを読み出せるようにする（ステップＳ２０１）。
【００２８】
ディスク１０１からのデータの読み出しが可能になると（Ｓ２０２）、ピックアップ１０３によって読み取られたコンテンツデータは再生信号処理部１１０でデジタル音声信号に変換された後、メモリ制御部１１２によりバッファメモリ１１３に書き込まれる（Ｓ２０３）。
【００２９】
図３（ａ）のＡ点に示すように、バッファメモリ１１３の最大容量ＣＭＡＸまでデータが蓄積されると（Ｓ２０４）、システム制御部１０６はディスク１０１からのデータ読み出しを中断し、スピンドルモータ１０２の回転を停止する（Ｓ２０５）。
【００３０】
バッファメモリ１１３に蓄積されたデータは、出力信号生成部１１４でアナログ信号に変換され音声信号としてＣＤ再生装置より出力される。バッファメモリ１１３に蓄積されたデータは読み出しにより時間と共に減少していくが、メモリ制御部１１２によりバッファメモリ１１３の残量は常に監視され、図３（ａ）のＢ点に示すようにデータ残量が一定量ＣＭＩＮまで減少したと判断すれば（Ｓ２０６）、システム制御部１０６の指示によって再びスピンドルモータ１０２が回転し、再生中のコンテンツデータの続きが光ピックアップ１０３に読み取られる。
【００３１】
なお、ＣＭＩＮの値は、データ再生中に振動等の外乱により再生位置が飛んでしまうトラックジャンプが発生した場合にも、音切れなどを発生させることがないよう余裕を持って設定されている。
【００３２】
次に、図３（ａ）のＣ点に示すように、コンテンツデータ終端検出部１１５によってディスクから読み出されたコンテンツデータの終端が検出されると（Ｓ２０７）、光ピックアップ１０３はディスク１０１からのデータ読み出しを中断し、またスピンドルモータ１０２の回転を停止する（Ｓ２０８）が、その後もバッファメモリ１１３からのデータの読み出しは続行される。
【００３３】
データの再生中に、ユーザがキー入力部１０８に新たな曲の再生を入力すると、システム制御部は、後述する計算式に基づいてデータ残量のしきい値ｎを計算する（Ｓ２０９）。図３（ａ）のＤ点に示すようにデータ残量がしきい値ｎ以下になると（Ｓ２１０、）、システム制御部１０６はサーボ制御部１０５に対してディスク１０１を強制回転するように要求し（Ｓ２１１）、スピンドルモータ１０２がディスク１０１を回転させ、更にトラバースモータ１０４によって光ピックアップ１０３を次に再生するコンテンツデータの読み取り位置まで移動させる。
【００３４】
これにより、バッファメモリ１１３のデータ残量がなくなり、次に再生するコンテンツデータの読み込みを開始する時点、すなわち図３（ａ）のＥ点でディスク１０１はデータ読み込み可能な回転数で回転しており、また光ピックアップ１０３が次に再生するコンテンツデータの先頭記録位置に移動しているため、データの読み込みを直ちに行うことが可能である。
【００３５】
次に、図４および図５を用いてしきい値ｎの求め方について説明する。図４は、ディスク１０１において、現在再生中のコンテンツデータの終端記録位置Ｆと次に再生するコンテンツデータの先頭記録位置Ｇの関係を示した図であり、図５は図３のＤ点とＥ点の近傍を拡大して示した図である。
【００３６】
光ピックアップ１０３がディスク１０１から次に再生するコンテンツデータを読み取る場合、図３に示すように（Ｃ点とＤ点の間）、その時点ではスピンドルモータ１０２は回転を停止して現在再生中のコンテンツデータの終端記録位置Ｆで停止している。このためユーザが指定した曲を再生するためには、スピンドルモータ１０２の回転を立ち上げると共に、光ピックアップ１０３を次に再生するコンテンツデータの先頭記録位置Ｇまで移動させる必要がある。
【００３７】
図５から分かるように、スピンドルモータ１０２の回転が現在再生中のコンテンツデータの終端記録位置Ｆで立ち上がるまでの時間Ｔ１と、それに引き続いて光ピックアップ１０３が次に再生するコンテンツデータの先頭記録位置Ｇまで移動する時間Ｔ２を足した時間の間は、ディスク１０１からのデータ読み出しができないため、バッファメモリ１１３のデータ残量がなくなる時点から（Ｔ１+Ｔ２）時間もしくはそれを超える時間に先行して、すなわちバッファメモリ１１３のデータ残量がしきい値ｎになった時点でスピンドルモータ１０２の回転を立ち上げれば、次に再生するコンテンツデータの読み込みを開始する時点（Ｅ点）でデータの読み取りを直ちに行うことが可能となる。
【００３８】
図５から分かるように、しきい値ｎの値は、スピンドルモータ１０２の立ち上がり時間Ｔ１および光ピックアップ１０３の移動時間Ｔ２と、バッファメモリ１１３のデータ読み出し速度から計算で求めることができる。システム制御部１０６は、（Ｔ１+Ｔ２）時間を計算するためのデータを内蔵のＲＯＭに格納している。
【００３９】
前述したように、本実施の形態ではＣＬＶを採用しており、ディスク１０１の回転速度は内側ほど速く、外側に行くほど遅くなるため、スピドルモータ１０２の回転立ち上げ時間も光ピックアップ１０３が径方向のどの位置にあるかによって異なってくる。例えば、７０分の音声信号が記録されたディスクを再生する場合、ディスク１０１の内周側（再生開始から５分）で回転数は８１１ｒｐｍ、スピンドルモータ１０２の立ち上がり時間は８．９秒、中間地点（同３０分）で回転数は５７１ｒｐｍ、立ち上がり時間は５．７秒、外周側（同７０分）で回転数は４１７ｒｐｍ、立ち上がり時間は３．６秒となる。このためシステム制御部１０６は径方向の位置とスピンドルモータ１０２の立ち上がり時間Ｔ１に関するデータをあらかじめテーブルの形でＲＯＭに格納している。なお径方向の位置は、光ピックアップ１０３が基準位置から横切ったトラックの数で表される。
【００４０】
一方、光ピックアップ１０３の移動時間Ｔ２については、光ピックアップ１０３の移動距離によって異なるため、システム制御部１０６で、光ピックアップ１０３の移動距離を移動速度で割ることにより求める。ちなみに本実施の形態のＣＤ再生装置では、光ピックアップ１０３の移動速度は２２ｍｍ／ｓｅｃ、最大移動時間は１．５秒である。
【００４１】
このように本実施の形態では、再生中のコンテンツデータの終端が検出された後、バッファメモリ１１３のデータ残量がしきい値ｎ以下になった時点でディスク１０１を強制回転するように制御するので、次に再生するコンテンツデータの読み込みを開始する時点で、ディスク１０１はデータ読み込み可能な回転数で回転しており、データの読み取りを直ちに行うことが可能となる。
【００４２】
なお、本実施の形態では、固定ビットレートで量子化された音声信号がディスク１０１に記録されているものとしてしきい値ｎを求めたが、音声信号が可変ビットレートで量子化されている場合、しきい値ｎは最大ビットレートに基づいて算出する。再生中のデータのビットレートをその時のビットレートとしてＣＭＩＮを決めると、その後に、ビットレートがその値よりも大きくなった場合、バッファメモリ１１３のデータ残量がＣＭＩＮ到達時間よりも早くＣＭＩＮ以下になってしまい、そのままバッファメモリ１１３のデータ残量が０になると、音飛びが発生したり無音期間が長く続くことになる。したがって、可変ビットレートの場合は、最大ビットレート、もしくはそれよりも大きな値からしきい値を算出する必要がある。
【００４３】
（実施の形態２）
実施の形態１では、スピンドルモータ１０２の回転が立ち上がった後に光ピックアップ１０３の移動が開始されるものとしてしきい値ｎを求めたが、再生装置によっては、スピンドルモータ１０２の回転の立ち上げと光ピックアップ１０３の移動を並行して行うことも可能である。本実施の形態では、スピンドルモータ１０２の回転の立ち上げと光ピックアップ１０３の移動を並行して行うＣＤ再生装置について説明する。なお、再生装置の構成は、システム制御部１０６での制御を除き、図１に示した実施の形態１の再生装置と同じであるため、再生装置の説明は省略する。
【００４４】
図６は、本実施の形態において、図３のＤ点とＥ点の近傍を拡大して示した図である。図６に示すように、しきい値ｎは、スピンドルモータ１０２の回転立ち上げ時間Ｔ１だけによって算出されるしきい値ｎ１と、光ピックアップ１０３の移動時間Ｔ２だけによって算出されるしきい値ｎ２のうち、大きい値によって決定される。前述したように、実施の形態１のＣＤ再生装置では、スピンドルモータ１０２の立ち上げ時間は３．６秒〜８．９秒、光ピックアップ１０３の最大移動時間は１．５秒であるため、しきい値ｎは、スピンドルモータ１０２の回転立ち上げ時間Ｔ１に基づいて算出されることになる。
【００４５】
なお、上記各実施の形態においては、本発明をＣＤ再生装置に適用した場合について説明したが、これに限定されるものではなく、少なくとも１つのコンテンツデータが記録された記録媒体であれば、光磁気ディスクや磁気ディスクであっても適用できるため、それらの再生装置を除外するものではない。また、記録媒体の回転制御について、上記各実施の形態で説明したＣＬＶのみならず、ＣＡＶ（Constant Angular Velocity）を採用したＤＶＤ等の再生装置についても、本発明は同様に適用可能である。
【００４６】
また、上記各実施の形態において、光ピックアップを移動させる手段としてトラバースモータを用いた場合について説明したが、他の移動手段であっても適用できるため、それらを除外するものではない。
【００４７】
また、上記各実施の形態において、音声信号が可変ビットレートで量子化されている場合、しきい値ｎを、可変ビットレートの最大ビットレートから算出するものとして説明したが、コンテンツデータを複数のブロックに分割し、各ブロック毎の最大ビットレートからしきい値ｎを算出してもよい。
【産業上の利用可能性】
【００４８】
本発明の記録媒体再生装置は、再生中のコンテンツデータの再生が終了して次のコンテンツデータの再生を開始する時点で、ディスクがデータ読み取り可能な一定の回転数に到達し、更にピックアップの移動が終了しているので、データの読み込みを直ちに行うことが可能になる。このため、プレイアビリティの改善や外部キー入力などに対する応答性の改善を実現できる。本発明の記録媒体再生装置は、特に消費電力を低減させて電池の寿命時間を確保することが重要な携帯用のディスク再生装置に好適なものである。
【図面の簡単な説明】
【００４９】
【図１】本発明の実施の形態１におけるＣＤ再生装置のブロック図
【図２】図１のＣＤ再生装置の動作を説明するフローチャート
【図３】図１のＣＤ再生装置における、再生時間経過に対するバッファメモリのデータ残量とディスク回転数の遷移を示した図
【図４】現在再生中のコンテンツデータの終端記録位置と次に再生するコンテンツデータの先頭記録位置の関係を示した図
【図５】図３の一部を拡大して示した図
【図６】図５の他の例を示した図
【符号の説明】
【００５０】
１０１  ディスク
１０２  スピンドルモータ
１０３  光ピックアップ
１０４  トラバースモータ
１０５  サーボ制御部
１０６  システム制御部
１０９  ＲＦアンプ
１１０  再生信号処理部
１１１  制御信号処理部
１１２  メモリ制御部
１１３  バッファメモリ
１１４  出力信号生成部
１１５  コンテンツデータ終端検出部
【図１】
2006269053.tif 000003
【図２】
2006269053.tif 000004
【図３】
2006269053.tif 000005
【図４】
2006269053.tif 000006
【図５】
2006269053.tif 000007
【図６】
2006269053.tif 000008